(57)【要約】【課題】フロアマットの厚さに応じた設計の変更が不要であり、且つ、係止部分の精度の高いフロアマット用ハトメの提供。【解決手段】ハトメ雄体とハトメ雌体とを備え、ハトメ雄体は平面視円形状輪郭を有し且つその中央に雄体側中央穴を有する基板と、雄体側中央穴の縁面から上方へ立設される第一円筒部と、前記基板上に立設され前記第一円筒部と同心で且つ直径が大きい第二円筒部とを備え、第一円筒部内にはフロアマット固定具に対応する係止部を備え、ハトメ雌体はハトメ雄体の第二円筒部の外径が通過可能な直径寸法の雌体側中央穴を備え、フロアマットへの取付状態が、ハトメ雄体の第二円筒部が外方へ巻返された状態で、ハトメ雌体の上面にかしめ固定されるフロアマット用ハトメ。【選択図】図５
2014094655.tif 000002
【特許請求の範囲】
【請求項１】
ハトメ雄体とハトメ雌体とを備え、
前記ハトメ雄体は、平面視円形状輪郭を有し且つその中央に雄体側中央穴を有する基板と、前記雄体側中央穴の縁面から上方へ立設される第一円筒部と、前記基板上に立設され前記第一円筒部と同心で且つ直径が大きい第二円筒部とを備え、
前記第一円筒部内には、フロアマット固定具に対応する係止部を備えたものとし、
前記ハトメ雌体は、前記ハトメ雄体の第二円筒部の外径が通過可能な直径寸法の雌体側中央穴を備えたものとし、
フロアマットへの取付状態が、前記ハトメ雄体の第二円筒部が外方へ巻き返された状態で、ハトメ雌体の上面にかしめ固定されることを特徴とするフロアマット用ハトメ。
【請求項２】
第一円筒部と第二円筒部との間隙は、第一円筒部の変形後においても該第一円筒部と第二円筒部とが接触しない寸法が確保されていることを特徴とする請求項１記載のフロアマット用ハトメ。
【請求項３】
ハトメ雄体の基板の上面縁部の少なくとも二箇所に所定幅で立設されるストッパを備えたことを特徴とする請求項１又は２記載のフロアマット用ハトメ。
【請求項４】
ハトメ雌体の上面に段部を設け、雌体側中央穴の縁部を他の部分よりも薄厚としたことを特徴とする請求項１、２又は３記載のフロアマット用ハトメ。
【発明の詳細な説明】
【技術分野】
【０００１】
本発明は、主としてフロアマットを固定するためのフロアマット固定具とともに使用するものであり、フロアマットに取着して、前記フロアマット固定具と係止することで、フロアマットを床面に固定するためのフロアマット用ハトメに関する。本発明におけるフロアマットは車両用のフロアマット（いわゆるカーマット）を含む。
【背景技術】
【０００２】
一般的なハトメの形状を示すものとして、例えば、雄部材の中空円筒体部でシート基材の一部を巻き込んで外側にかしめてなり、そのかしめ部分を雌部材の周縁部に押し当ててシート基材を押圧してなるハトメの構成（例えば、特許文献１参照。）が公知である。
【０００３】
また、フロアマットに取着可能な公知のハトメとして、床面とフロアマットとの取付ではなくカーペットに対してフロアマットを取り付けるために用いられるものとして、カーペットに設けられるハトメ（フック止め具）であって、カーペットの表面側に位置し、前記カーペットに設けられた貫通孔に挿通される第１筒状部、第１筒状部の一端側の外周縁にて外方へ延出する第１フランジ部及び第１筒状部の他端側の内周面に設けられた第１係合ツメを有する第１止め具と、カーペットの裏面側に位置し、前記貫通孔に挿通された第１筒状部に内嵌する第２筒状部、第２筒状部の一端側の外周面に設けられ前記第１係合ツメと係合する第２係合ツメ、第２筒状部の一端側の内周面に設けられ、第１止め具側から第２筒状部に挿入された前記フックの嵌合突起を係止するフック係合ツメ、及び第２筒状部の他端側の外周縁にて外方へ延出する第２フランジ部を有する第２止め具とを備えている構成（例えば、特許文献２参照。）が公知である。
【先行技術文献】
【特許文献】
【０００４】
【特許文献１】特開２００４−１８８４７１号公報
【特許文献２】特開平１１−２３０１３４号公報
【発明の概要】
【発明が解決しようとする課題】
【０００５】
周知のように、車両のフロアマットのずれを防止するため、フロアマット固定具と係止することで、フロアマットを床面に固定するためのフロアマット用ハトメが用いられる。
このようなフロアマット用ハトメとして、例えば、上記特許文献１に係る発明における一般的なハトメの構成を用い、フロアマット固定具と係止させることも可能であると考えられる。しかし、フロアマット固定具と係止するハトメの中央穴近傍の精度がかしめの影響を受けて低くなるため、破損や脱落の虞が高くなる欠点がある。
【０００６】
一方、特許文献２に係る発明の構成によれば、カーペットの厚みが変化すると第１筒状部及び第２筒状部の寸法を変更したものを新たに設計しなければならず、更には、フックの嵌合突起がカーペットの嵌合を行うための第２筒状部の内周面に設けられる構成であるため、フックの嵌合突起の高さにも影響を及ぼすこととなり、使用するカーペットの厚みに応じて多種の形状のハトメを用意しなければならず、効率が悪いものであった。
【０００７】
本発明は以上の事情に鑑みてなされたものであり、取付対象となるフロアマットの厚さが変更されても設計の変更を行うことなく使用することができ、且つ、フロアマット固定具との係止の精度を保つことができる、高品質なフロアマット用ハトメの提供を、発明が解決しようとする課題とする。
【課題を解決するための手段】
【０００８】
本発明は、ハトメ雄体とハトメ雌体とを備え、前記ハトメ雄体は、平面視円形状輪郭を有し且つその中央に雄体側中央穴を有する基板と、前記雄体側中央穴の縁面から上方へ立設される第一円筒部と、前記基板上に立設され前記第一円筒部と同心で且つ直径が大きい第二円筒部とを備え、前記第一円筒部内には、フロアマット固定具に対応する係止部を備えたものとし、前記ハトメ雌体は、前記ハトメ雄体の第二円筒部の外径が通過可能な直径寸法の雌体側中央穴を備えたものとし、フロアマットへの取付状態が前記ハトメ雄体の第二円筒部が外方へ巻き返された状態で、ハトメ雌体の上面にかしめ固定されることを特徴とするフロアマット用ハトメを、課題を解決するための手段とする。
【０００９】
また本発明は、上記発明の構成を備えた上で、第一円筒部と第二円筒部との間隙が第一円筒部の変形後においても該第一円筒部と第二円筒部とが接触しない寸法が確保されていることを特徴とするフロアマット用ハトメを、課題を解決するための手段とする。
【００１０】
また本発明は、上記いずれかの発明の構成を備えた上で、ハトメ雄体の基板の上面縁部の少なくとも二箇所に所定幅で立設されるストッパを備えたことを特徴とするフロアマット用ハトメを、課題を解決するための手段とする。
【００１１】
また本発明は、上記いずれかの発明の構成を備えた上で、ハトメ雌体の上面に段部を設け、雌体側中央穴の縁部を他の部分よりも薄厚としたことを特徴とするフロアマット用ハトメを、課題を解決するための手段とする。
【発明の効果】
【００１２】
本発明は、ハトメ雄体とハトメ雌体とを備え、前記ハトメ雄体は、平面視円形状輪郭を有し且つその中央に雄体側中央穴を有する基板と、前記雄体側中央穴の縁面から上方へ立設される第一円筒部と、前記基板上に立設され前記第一円筒部と同心で且つ直径が大きい第二円筒部とを備え、前記第一円筒部内には、フロアマット固定具に対応する係止部を備えたものとしたことによって、第二円筒部が基板上でかしめ部分として独立して機能し、前記雄体側中央穴の縁面から上方へ立設される第一円筒部及びこれに形成される係止部を変形させないものとしたから、第二円筒部は、独立したかしめ部分となることで取付対象となるフロアマットの厚さに応じてかしめることができ、従ってフロアマットの厚みに応じた設計を行う必要もなく、また、第一円筒部及び係止部は第二円筒部による変形の影響を受けないから、精度を確保することができるため、高品質なハトメとしての係脱機能を提供することができる。
【００１３】
また本発明は、上記構成を前提として、ハトメ雄体の基板の上面縁部の少なくとも二箇所に所定幅で立設されるストッパを備えたことによって、上記発明の作用効果を奏することに加えて、フロアマットに当該フロアマット用ハトメを取付けた際に、前記ストッパがフロアマットに食い込み、取着後の回り止めとして機能するとともに、更に、取付け作業時における把持部としての機能を確保することにより、ハトメ雄体の不用意な落下を防止することができ、製造過程における作業性の向上、生産性の向上、及び製品品質の向上に資することができる。
【００１４】
また本発明は、上記いずれかの発明の構成を前提として、ハトメ雌体の上面に段部を設け、雌体側中央穴の縁部を他の部分よりも薄厚としたことによって、上記いずれかの発明の作用効果を奏することに加えて、フロアマット用ハトメをフロアマットに取着する際に、ハトメ雄体の第二円筒部が巻き返される変形を生じることで、第二円筒部の変形した先端部が段部から雌体側中央穴の縁部までの位置に案内されて嵌入し、かしめ固定されるため、第二円筒部の先端側が収まり良く配置され、かしめ部分の十分な強度を確保するとともに外観上非常に美しい配置とすることができる。
【図面の簡単な説明】
【００１５】
【図１】本発明の実施例に係るフロアマット用ハトメを構成するハトメ雄体の（ａ）平面図及び（ｂ）正面図である。
【図２】本発明の実施例に係るフロアマット用ハトメを構成するハトメ雄体の（ａ）底面図、（ｂ）右側面図及び（ｃ）図１（ａ）のＡ−Ａ断面図である。
【図３】本発明の実施例に係るフロアマット用ハトメを構成するハトメ雌体の（ａ）平面図、（ｂ）正面図及び（ｃ）右側面図である。
【図４】本発明の実施例に係るフロアマット用ハトメを構成するハトメ雌体の（ａ）底面図及び（ｂ）図３（ａ）のＢ−Ｂ断面図である。
【図５】本発明の実施例に係るフロアマット用ハトメの（ａ）フロアマットへの取付け前の状態を示す縦断面図、（ｂ）フロアマットへの取付け後の状態を示す縦断面図である。
【図６】本発明の実施例に係るフロアマット用ハトメのフロアマットへの取付け前の状態を示す斜視図である。
【図７】本発明の実施例に係るフロアマット用ハトメとフロアマット固定具との（ａ）係止前の状態を示す一部縦断面図、（ｂ）摘みを捻って係止させた状態を示す一部縦断面図である。
【発明を実施するための形態】
【００１６】
本発明は、ハトメ雄体とハトメ雌体とを備え、前記ハトメ雄体は、平面視円形状輪郭を有し且つその中央に雄体側中央穴を有する基板と、前記中央穴の縁面から上方へ立設される第一円筒部と、前記基板上に立設され前記第一円筒部と同心で且つ直径が大きい第二円筒部とを備え、前記第一円筒部内には、フロアマット固定具に対応する係止部を備えたものとしたことによって、第二円筒部が基板上でかしめ部分として独立して機能し、中央穴の縁面から上方へ立設される第一円筒部及びこれに形成される係止部を変形させないものとしたから、第二円筒部は、独立したかしめ部分となることで取付対象となるフロアマットの厚さに応じてかしめることができ、従ってフロアマットの厚みに応じた設計を行う必要もなく、また、第一円筒部と第二円筒部との間隙が第一円筒部の変形後においても該第一円筒部と第二円筒部とが接触しない寸法が確保される構成としたことで、第一円筒部及び係止部は第二円筒部による変形の影響を受けないから、精度を確保することができるため、高品質なハトメとしての係脱機能を提供でき、また、ハトメ雄体の基板の上面縁部の少なくとも二箇所に所定幅で立設されるストッパを備えたことによって、上記発明の作用効果を奏することに加えて、フロアマットに当該フロアマット用ハトメを取付けた際に、前記ストッパがフロアマットに食い込み、取着後の回り止めを防止するとともに、取付け作業時における把持部としての機能を確保することにより、ハトメ雄体の不用意な落下を防止することができ、製造過程における作業性の向上、生産性の向上、及び製品品質の向上に資することができ、ハトメ雌体の上面に段部を設け、雌体側中央穴の縁部を他の部分よりも薄厚としたことによって、上記いずれかの発明の作用効果を奏することに加えて、フロアマット用ハトメをフロアマットに取着する際に、ハトメ雄体の第二円筒部が巻き返される変形を生じることで、第二円筒部の変形した先端部が段部から雌体側中央穴の縁部までの位置に案内されて嵌入し、かしめ固定されるため、第二円筒部の先端側が収まり良く配置され、かしめ部分の十分な強度を確保するとともに外観上非常に美しい配置とすることができる、優れたフロアマット用ハトメを実現した。
【実施例】
【００１７】
本発明の実施例に係るフロアマット用ハトメ１は、図１及び図２に示す合成樹脂製のハトメ雄体２と、図３及び図４に示す合成樹脂製のハトメ雌体３の二部品のみによって構成される、非常に簡素で且つ機能的なフロアマット用ハトメ１である。そして図５及び図６に示すようにフロアマット４をハトメ雄体２及びハトメ雌体３で挟持することで、前記フロアマット４に取着されるものである。尚、本実施例において、記載は省略しているが、本実施例におけるハトメ雄体２の左側面図は、図２（ｂ）に示すハトメ雄体２の右側面図と同一である。また、取着されたフロアマット用ハトメ１は、床面若しくは床面に配置されたカーペットに対して下端が取付けられたフロアマット固定具５の上端と係合させるフロアマット４のズレを防止するための手段として機能するものである。
以下、本発明の実施例について詳細に説明する。
【００１８】
本発明の実施例に係るフロアマット用ハトメ１を構成するハトメ雄体２は、図１及び図２に示すように、基板２０上に夫々独立して立設される第一円筒部２１及び第二円筒部２２を基本構成とする。
【００１９】
基板２０は、平面視直径約４０ｍｍの円形状輪郭を有し、且つその中央に直径約１８ｍｍの円形の雄体側中央穴２３を有する。上面、下面のいずれも外縁に至るほど上方へ傾斜した形状としている。また、基板２０の上面外縁のうち対向する二箇所に、幅８ｍｍ程度、高さ２ｍｍ程度のストッパ２５を設けている。ストッパ２５の上面は平坦面となっている。
該ストッパ２５は、ハトメ雄体の不慮の回転を防止するとともに、ハトメ雌体とともにフロアマット４の挟持をより強固とするためのものである。
【００２０】
第一円筒部２１は、前記基板２０における雄体側中央穴２３の縁面に沿い、その基端を前記基板２０と一体として、円筒状の第一円筒部２１を高さ約１１ｍｍ程度で一体として、立設したものである。
【００２１】
また、第一円筒部２１の上端から約４ｍｍ下となる位置を上限としてその内面に、フロアマット固定具５の係止部２４を形成している。当該係止部２４は、雄体側中央穴２３を塞ぐように形成した直径２ｍｍ程度の板状体に対してフロアマット固定具５の上端側が通過可能な長穴を設けてなる構成である。即ち、長穴の周縁の板状部分が係止箇所となるものである。尚、本実施例における係止部２４は、フロアマット固定具５の形状に応じて形成される。
【００２２】
本実施例においては、対応するフロアマット固定具５の上端部に設けた平面視非円形の摘み５０を指で捻って回動させる操作によって、フロアマット固定具５の係止部２４と摘み５０を係止させるものである。
【００２３】
第二円筒部２２は、上記第一円筒部２１の外側に中心を同じくして配置された円筒状の部分であり、高さ１０ｍｍ、外径３０ｍｍ、厚さ０．５ｍｍ未満となるものである。本実施例において第二円筒部と第一円筒部２１との間隙は、約３ｍｍ程度の寸法を確保している。このため、第一円筒部２１が巻返し変形した場合であっても、第一円筒部２１と第二円筒部２２は接触することがない距離が保持されている。
【００２４】
次に、本実施例に係るハトメ雌体３について説明する。
本実施例に係るハトメ雌体３は、図３及び図４に示すように、直径５０ｍｍの薄円板の中央に直径２９ｍｍ程度の雌体側中央穴３０を形成した基本構成を有する。底面側には同一円周上となる六ヶ所に、滑り止め用の小突起３２を形成してあり、上面側には雌体側中央穴３０の縁から径方向に２ｍｍの範囲で薄厚部３３を形成するように同一円周上に高さ１ｍｍ程度での段部３１を形成した構成である。
【００２５】
以上に示したハトメ雄体２及びハトメ雌体３をフロアマット４へ取付けるには、常温下においてはとめ打ち機を用いて行う。
図５及び図６に示すように、予めフロアマット４にハトメ雄体２の第二円筒部２２が貫通可能なフロアマット穴４０を形成しておき、当該箇所に対してフロアマット４の下方側から前記ハトメ雄体２の第二円筒部２２を挿通する。次に、フロアマット４の上方側に突出した第二円筒部２２を雌体側中央穴３０へ挿通する。
【００２６】
この状態で、打ち込みを行うことにより、前記ハトメ雄体２の第二円筒部２２は外側へ巻き返される。また、ハトメ雌体３はフロアマット４に押し付けられた状態となりフロアマット４に対してハトメ雌体３の小突起３２がフロアマット４に食い込む。
【００２７】
そして、ハトメ雄体２の巻き返された第二円筒部２２の先端が、ハトメ雌体３の段部３１及び薄厚部３３に当接して固定され、ハトメ雄体２のストッパ２５がフロアマット４に対しその下方から食い込んだ状態が保持される。
【００２８】
当該構成により、ハトメ雄体２とハトメ雌体３とが係着し、当該フロアマット４にフロアマット用ハトメ１が強固に取付けられた状態となる。
本実施例に係るフロアマット用ハトメ１の使用に際しては、床面若しくは床面に配置されたカーペットに対して、下端が取付けられたフロアマット固定具５の上端を、実施例に係るフロアマット用ハトメ１の下方から差込み、摘み５０と係止部２４とを係止させる。
【００２９】
即ち、図７（ａ）に示すように、本実施例に対応して使用したフロアマット固定具５の上端の構成は、平面視非円形の摘み５０を備えており、フロアマット用ハトメ１の係止部２４を有する中央穴を通過可能であるが摘み５０を指で捻ることによって、図７（ｂ）に示すように、前記摘み５０が係止部２４と係止し、フロアマット用ハトメ１の中央穴から離脱不能となる構成のものである。当該フロアマット用ハトメ１とフロアマット固定具５との係止によって、床面に対してフロアマット４の位置が固定され、当該フロアマット４のズレを防止することができる。
【００３０】
尚、本願発明は上記実施例に限定されるものではなく、例えば、ハトメ雄体２における係止部２４の形状は、対応するフロアマット固定具５の形状に応じて適宜設計変更を行うことができる。即ち、フロアマット固定具５の係止手段に対応して第一円筒部２１に形成可能な係止手段であればよい。
【符号の説明】
【００３１】
１        フロアマット用ハトメ
２        ハトメ雄体
２０      基板
２１      第一円筒部
２２      第二円筒部
２３      雄体側中央穴
２４      係止部
２５      ストッパ
３        ハトメ雌体
３０      雌体側中央穴
３１      段部
３２      小突起
３３      薄厚部
４        フロアマット
４０      フロアマット穴
５        フロアマット固定具
５０      摘み
【図１】
2014094655.tif 000003
【図２】
2014094655.tif 000004
【図３】
2014094655.tif 000005
【図４】
2014094655.tif 000006
【図５】
2014094655.tif 000007
【図６】
2014094655.tif 000008
【図７】
2014094655.tif 000009